(57)【要約】【課題】簡明な操作により補正前のライブビュー画像で構図やフォーカスを確認する。【解決手段】撮像装置は、露出条件または画像処理に関する複数の設定項目の各設定値に基づいて表示用画像を出力する画像出力部と、表示部と、複数の設定項目のうち変更したい設定項目をユーザに手動設定させる手動設定部と、手動設定部により手動設定された設定値を用いて、画像出力部に第１の表示用画像を出力させる第１の出力制御部と、手動設定部により手動設定された設定値の代わりに予め定められた所定値を用いて、画像出力部に第２の表示用画像を出力させる第２の出力制御部と、手動設定部により手動設定された設定値に基づいて撮像された被写体像に関する記録用画像データを生成する画像記録部と、を備え、第１の出力制御部が画像出力部に第１の表示用画像を出力させている期間内にユーザが所定操作部材を操作した場合、第２の出力制御部を動作させる。【選択図】図４
2018050345.tif 000002
【特許請求の範囲】
【請求項１】
被写体を撮像した撮像信号が入力される入力部と、
前記撮像信号の画像処理に関する条件を設定可能な設定部と、
前記設定部による設定後の条件に基づいて前記撮像信号を第１表示信号に変換する第１変換部と、
画像処理に関する予め定められた所定値に基づいて前記撮像信号を第２表示信号に変換する第２変換部と、
前記第１表示信号または前記第２表示信号を出力する出力部と、
前記出力部の出力を、前記第１表示信号と前記第２表示信号との間で切替える切替部と、
を備え、
前記切替部は、前記設定部による設定が所定の条件を満たす場合に、前記出力部の出力を前記第１表示信号から前記第２表示信号に切り替え可能であり、
前記所定の条件とは、前記第１表示信号と前記第２表示信号との画像処理による差異がユーザに視認できることである撮像装置。
【発明の詳細な説明】
【技術分野】
【０００１】
本発明は撮像装置に関する。
【背景技術】
【０００２】
画像の明るさ、ピント、彩度などを手動調整するためのスライドバーをライブビュー画像に重畳表示して、スライドバーの操作に応じて明るさ、ピント、彩度などを補正したライブビュー画像を表示させることにより、ユーザの好みに合致する画像を得る撮像装置が知られている。（特許文献１）。
【先行技術文献】
【特許文献】
【０００３】
【特許文献１】特開２０１１−１５５４４９号公報
【発明の概要】
【発明が解決しようとする課題】
【０００４】
デジタルカメラ等の撮像装置を用いた撮影に不慣れな初心者にとって、補正後のライブビュー画像だけを見て構図やフォーカス状態を確認することは困難な場合がある。しかし、特許文献１の発明のようにライブビュー画像を表示しながら画像の補正を行う場合、補正前のライブビュー画像を確認するためには、手動調整を行う動作モードから抜け出す必要があった。また、再び手動調整を行う動作モードに復帰した際には調整をやり直す必要があり、利便性を損ねていた。特に、手動操作による再設定は撮影に不慣れな初心者にとっては大きな負担となっていた。
【課題を解決するための手段】
【０００５】
本発明による撮像装置は、被写体を撮像した撮像信号が入力される入力部と、前記撮像信号の画像処理に関する条件を設定可能な設定部と、前記設定部による設定後の条件に基づいて前記撮像信号を第１表示信号に変換する第１変換部と、画像処理に関する予め定められた所定値に基づいて前記撮像信号を第２表示信号に変換する第２変換部と、前記第１表示信号または前記第２表示信号を出力する出力部と、前記出力部の出力を、前記第１表示信号と前記第２表示信号との間で切替える切替部と、を備え、前記切替部は、前記設定部による設定が所定の条件を満たす場合に、前記出力部の出力を前記第１表示信号から前記第２表示信号に切り替え、前記所定の条件とは、前記第１表示信号と前記第２表示信号との画像処理による差異がユーザに視認できることである。
【発明の効果】
【０００６】
本発明によれば、簡明な操作により補正前のライブビュー画像で構図やフォーカスを確認することができると共に、確認した後、簡便に補正後のライブビュー画像に復帰することができる。
【図面の簡単な説明】
【０００７】
【図１】本発明の一実施の形態による撮像装置の回路構成を例示するブロック図である。
【図２】撮像素子の制御に用いる駆動信号に関するタイミングチャートである。
【図３】ＡＳＩＣの機能ブロック図である。
【図４】ＣＰＵの機能ブロック図である。
【図５】スライドバーが重畳された表示用画像の一例を示す図である。
【図６】ライブビュー画像に付加される画像効果とそれらに対する切替条件および固定値を示す表である。
【図７】本発明の一実施の形態による撮像装置において実行される処理に関するフローチャートである。
【図８】第２ライブビュー表示モードの動作に関するフローチャートである。
【図９】表示用画像の生成に関するフローチャートである。
【発明を実施するための形態】
【０００８】
図１は、本発明の一実施の形態による撮像装置の回路構成を例示するブロック図である。図１に例示される電子カメラ２００は、撮影レンズ７と、絞り８と、絞り駆動部９と、撮像素子１０と、アナログ信号処理回路１１と、Ａ／Ｄ変換回路１２と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）１３と、ドライバ１６と、タイミングジェネレータ（ＴＧ）１７と、ＣＰＵ１８と、ＲＡＭ１９と、ＲＯＭ２０と、表示モニタ２１と、メインスイッチ２２と、半押しスイッチ２３と、全押しスイッチ２４と、測光装置２５と、記録媒体２７と、選択スイッチ２８と、切替スイッチ２９と、設定値変更スイッチ３０とを備える。
【０００９】
撮影レンズ７は、ズームレンズやフォーカシングレンズを含む複数のレンズ群で構成され、被写体像を撮像素子１０の受光面に結像させる。なお、図１では、図を簡単にするため、撮影レンズ７は単レンズとして図示されている。絞り８は、複数枚の絞り羽根（不図示）から形成され、撮像素子１０に受光させる光束の光量を調整する。絞り駆動部９は、ＣＰＵ１８が設定した絞り値に基づいて、絞り羽根（不図示）を駆動する。
【００１０】
なお、図１に示す電子カメラ２００は、撮影レンズ７がカメラと一体的に形成された（撮影レンズが着脱不能な）デジタルカメラである。しかしながら後述する構成は、カメラボディと、そのカメラボディに着脱可能な交換レンズからなるカメラシステムに適用することも可能である。その場合、図１に図示された構成のうち撮影レンズ７、絞り８、絞り駆動部９が交換レンズ側の構成となり、その他の構成がカメラボディ側の構成となる。
【００１１】
撮像素子１０は、その撮像面上に撮像画素と焦点検出画素とを有する。撮像画素は、撮像素子１０の撮像面上に、例えばベイヤ配列に従い配置されている。撮像素子１０の撮像面には撮影レンズ７によって被写体像が結像される。撮像素子１０の各画素は、シャッタスピードの間露光して、被写体像の明るさに応じた信号電荷が蓄積される。
【００１２】
撮像素子１０は、内部発振装置１０ａを内蔵する。内部発振装置１０ａは、所定のフレームレートで駆動信号を発生させる。撮像素子１０に蓄積された信号電荷は、内部発振装置１０ａまたは後述するドライバ１６が出力する駆動信号に従って読み出されて、アナログ信号処理回路１１に出力される。撮像画素に蓄積された信号電荷は、ライブビュー画像の生成、各種圧縮形式で圧縮された記録用画像の生成などに用いられる。
【００１３】
アナログ信号処理回路１１は、ＡＧＣ回路やＣＤＳ回路などを含み、撮像素子１０から読み出された信号電荷に対するアナログ信号処理（ゲインコントロール、ノイズ除去など）を行い、撮像信号を出力する。Ａ／Ｄ変換回路１２は、アナログ信号処理回路１１によるアナログ信号処理後の撮像信号をデジタル信号に変換して、ＡＳＩＣ１３に出力する。なお、アナログ信号処理回路１１およびＡ／Ｄ変換回路１２は、撮像素子１０と一体的に形成することができる。
【００１４】
ＡＳＩＣ１３は、ＲＡＭ１９を作業領域として、Ａ／Ｄ変換回路１２から出力されるデジタル信号に対して後述する画像処理を行い、ライブビュー画像、各種圧縮形式で圧縮された記録用画像などを出力する。
【００１５】
タイミングジェネレータ１７は、ＣＰＵ１８の制御のもと、タイミング信号を発生させる。タイミング信号は、アナログ信号処理回路１１、Ａ／Ｄ変換回路１２、およびドライバ１６のそれぞれに供給される。ドライバ１６は、タイミング信号を用いて駆動信号を生成し、その駆動信号を撮像素子１０へ出力する。
【００１６】
ＣＰＵ１８は、マイクロコンピュータなどによって構成され、ＲＡＭ１９を作業領域として用いてＲＯＭ２０に記憶されたプログラムを実行して、電子カメラ２００の各部を制御する。ＲＡＭ１９は、ＡＳＩＣ１３、ＣＰＵ１８等が各部の処理を実行する際に一時的にデータを格納する作業用メモリである。ＲＯＭ２０は、例えばＥＥＰＲＯＭ、フラッシュメモリ等の不揮発性メモリであって、電子カメラ２００の制御プログラムや設定情報等を記憶している。
【００１７】
表示モニタ２１は、例えば液晶モニタであって、ライブビュー画像やメニュー画面や、後述する記録媒体２７に保存された記録用画像などが表示される。表示モニタ２１に表示される表示データは、ＣＰＵ１８やＡＳＩＣ１３などにより生成される。
【００１８】
メインスイッチ２２は、オン操作またはオフ操作に応じた操作信号をＣＰＵ１８へ出力する。ＣＰＵ１８は、オン操作信号を受けた場合に不図示の電源回路から各ブロックへ電源供給を開始させ、オフ操作信号を受けた場合には該電源回路から各ブロックへの電源供給を停止させる。
【００１９】
半押しスイッチ２３および全押しスイッチ２４は、レリーズボタン（不図示）の押下操作に連動してオン／オフされ、それぞれが操作信号をＣＰＵ１８へ出力する。半押しスイッチ２３は、レリーズボタン（不図示）が通常ストロークの半分程度まで押し下げ操作されると半押し信号を出力する。そして、半押しスイッチ２３は、半ストロークの押し下げ操作解除により半押し信号の出力が解除される。
【００２０】
全押しスイッチ２４は、レリーズボタン（不図示）が通常ストロークまで押し下げ操作されると全押し信号を出力する。そして、全押しスイッチ２４は、通常ストロークの押し下げ操作が解除されると全押し信号の出力が解除される。
【００２１】
選択スイッチ２８は、複数の選択肢が表示されたメニュー画面が表示モニタ２１に表示されているときに所望の選択肢を選択する操作を行うための操作部材である。
切替スイッチ２９は、電子カメラ２００の動作を切り替える際に使用する操作部材である。なお、半押しスイッチ２３を切替スイッチ２９として用いることにしてもよい。
設定値変更スイッチ３０は、たとえばロータリーマルチセレクターであって、後述するライブビュー画像に画像効果を付加する処理を行っている期間に、その画像効果に関する設定値を変更する操作を行うための操作部材である。
【００２２】
測光装置２５は、ＣＰＵ１８に対して半押しスイッチ２３の半押し信号が入力されたとき、被写体の輝度を算出する。記録媒体２７は、たとえば、フラッシュメモリカードなどのデータストレージ部材によって構成され、記録用画像などが保存される。
【００２３】
（駆動信号）
図２（ａ）は、内部発振装置１０ａから出力される駆動信号に関するタイミングチャートである。図２（ａ）では、内部発振装置１０ａから出力される駆動信号は、所定のフレームレートに対応する時間が経過するごとにＨレベルからＬレベルに一時的に立ち下がる。撮像素子１０の各画素の露光は、内部発振装置１０ａから出力される駆動信号が立ち下がったとき（例えば、時刻Ｔ１、時刻Ｔ２）に開始され、設定されたシャッタスピードが経過した後終了する。このシャッタスピードは、駆動信号のフレームレートに制限される。設定されたシャッタスピードが駆動信号のフレームレートより長い場合は、撮像素子１０の各画素はフレームレートに対応する時間だけ露光される。
【００２４】
一方、図２（ｂ）は、撮像素子１０の外部に設けられたドライバ１６から出力される駆動信号に関するタイミングチャートである。図２（ｂ）では、ドライバ１６から出力される駆動信号は、時刻Ｔ３にＨレベルからＬレベルに立ち下がり、時刻Ｔ４にＬレベルからＨレベルに立ち上がっている。駆動信号が立ち下がったとき（例えば、時刻Ｔ３）、撮像素子１０の各画素の露光が開始される。駆動信号が立ち上がったとき（例えば、時刻Ｔ４）、露光が終了して信号電荷の読み出しが開始される。ドライバ１６から出力される駆動信号の立ち下がりから立ち上がりまでの時間（例えば、時刻Ｔ３から時刻Ｔ４までの期間）がシャッタスピードである。ドライバ１６から出力される駆動信号を用いた場合は、ドライバ１６から出力される駆動信号のパルス信号の立ち下がりと立ち上がりを制御することにより、フレームレートが可変となる。つまり、内部発振装置１０ａから出力される駆動信号とは異なり、シャッタスピードは駆動信号のフレームレートに制限されず、画素の露光時間と画素からの信号読出しを適切に制御することができる。
【００２５】
（信号電荷の読み出し方式）
電子カメラ２００は、撮像素子１０に蓄積された信号電荷を読み出す読み出し方式を複数有する。例えば、電子カメラ２００は、全画素読み出し方式、間引き読み出し方式などの読み出し方式を有する。
【００２６】
全画素読み出し方式は、例えば静止画像に関する記録用画像データを記録媒体２７に記録するときなどに用いられる。全画素読み出し方式では、ドライバ１６から撮像素子１０に向けて駆動信号が入力されたとき、その駆動信号に従って撮像素子１０の全画素から信号電荷が読み出される。
【００２７】
間引き読み出し方式は、例えばライブビュー画像を表示モニタ２１に表示させるときなどに用いられる。間引き読み出し方式では、内部発振装置１０ａが所定のフレームレートで駆動信号を発振して、その駆動信号に従って撮像素子１０の一部の画素を間引いて信号電荷が読み出される。これにより、画像処理の対象となる画像データのデータサイズが小さくなり、処理負荷が低減される。
【００２８】
（ＡＳＩＣ１３の動作）
電子カメラ２００は、撮影モードと、第１ライブビュー表示モードと、第２ライブビュー表示モードなどの複数の動作モードを有する。ＡＳＩＣ１３は、各動作モードに対応した画像データをＡ／Ｄ変換回路１２から出力されたデジタル信号に基づいて生成する。なお、第１ライブビュー表示モードと第２ライブビュー表示モードとを併せて、ライブビュー表示モードと称する。
【００２９】
図３は、ＡＳＩＣ１３に関する機能ブロック図である。図３に記載のＡＳＩＣ１３は、第１ＡＳＩＣ１３１と第２ＡＳＩＣ１３２とを有する。第１ＡＳＩＣ１３１は、第１入力部１００と第１リサイズ部１０１と第２リサイズ部１０２と第１プリ処理部１０３と第１出力部１０４と第２出力部１０５とを有する。
【００３０】
第２ＡＳＩＣ１３２は、第２入力部３０１と第３入力部３０２と第２プリ処理部３０３と評価値処理部３０４と第２画像処理部３０５とリサイズ処理部３０６と第１画像処理部３０７とＤＳＰ（Ｄｉｇｉｔａｌ  Ｓｉｇｎａｌ  Ｐｒｏｃｅｓｓｏｒ）部３０８と表示制御部３０９と圧縮部３１２と記録部３１３とを有する。
【００３１】
（撮影モード）
電子カメラ２００は、全押し信号が出力されたとき、撮影モードに移行する。電子カメラ２００が撮影モードのとき、撮像素子１０の読み出し方式は全画素読み出し方式に設定される。撮像素子１０の信号電荷は、ドライバ１６が出力した駆動信号に基づいて読み出される。それらの信号電荷はアナログ信号処理回路１１およびＡ／Ｄ変換回路１２を介してデジタル信号に変換されて、ＡＳＩＣ１３に出力される。Ａ／Ｄ変換回路１２から出力されたデジタル信号は、第１ＡＳＩＣ１３１の第１入力部１００に取り込まれる。
【００３２】
撮影モードでは、第１入力部１００は、Ａ／Ｄ変換回路１２から取り込んだデジタル信号を第１リサイズ部１０１に出力する。撮影モードでは、第１リサイズ部１０１は、そのデジタル信号に対して記録用画像のためのリサイズ処理を行う。第１リサイズ部１０１によりリサイズ処理を施されたデジタル信号は、第１出力部１０４に出力される。第１出力部１０４は、デジタル信号を第２ＡＳＩＣ１３２の第２入力部３０１へ出力する。
【００３３】
第２ＡＳＩＣ１３２の第２入力部３０１は、第１出力部１０４の出力信号を取得して、第２プリ処理部３０３と評価値処理部３０４に出力する。第２プリ処理部３０３は、第２入力部３０１が取得した信号に対して輪郭補償、ガンマ補正などの画像前処理を行い、その処理結果を第１取り込み画像データ４０１としてＲＡＭ１９に格納する。
【００３４】
評価値処理部３０４は、明暗差調整やホワイトバランス調整などに用いる評価値４０２を各々算出して、その評価値４０２をＲＡＭ１９に格納する。ＤＳＰ部３０８は、ＲＡＭ１９に格納された評価値４０２に基づいて、第１画像処理部３０７における明暗差調整やホワイトバランス調整などに関わるパラメータを各々設定する。
【００３５】
第１画像処理部３０７は、ＲＡＭ１９に格納された第１取り込み画像４０１に対して、ＤＳＰ部３０８から出力された各パラメータに基づいて、ホワイトバランス調整、露出補正、明暗差調整（ダイナミックレンジ拡大）、セレクトカラー、ミニチュア効果、ソフトフィルタなどの画像処理を行い、現像画像４０５としてＲＡＭ１９に格納する。
【００３６】
露出補正とは、電子カメラ２００のＣＰＵ１８が自動露出制御により定めた適正露出から露出を変更して、画像の明るさを変更することである。露出補正の強度は、零を中心値とする所定の範囲の値に設定することができる。
【００３７】
明暗差調整とは、第１取り込み画像４０１のハイライト部の白とびを抑え、シャドー部の黒つぶれを軽減するための画像処理であって、ＤＳＰ部３０８が設定したパラメータに基づいて処理が実行される。明暗差調整の処理は、処理の工程が多く、他の画像処理よりも電力消費量が大きい。また、明暗差調整の強度には「強」、「中」、「弱」、「無」などの段階がある。
【００３８】
セレクトカラーとは、ユーザが指定した色だけを残して、それ以外の色をモノトーンに変換する画像処理である。
ミニチュア効果とは、被写体像の上下をぼかしてミニチュア（模型）を接写したように表現する画像処理である。ミニチュア効果によるぼかしの強度には、「強」、「中」、「弱」、「無」などの段階がある。
ソフトフィルタとは、画像全体をぼかして画像の印象を柔らかくする画像処理であって、ソフト処理によるぼかしの強度には、「強」、「中」、「弱」、「無」などの段階がある。
【００３９】
現像画像４０５は、圧縮部３１２にて所定の圧縮形式（例えば、ＪＰＥＧ）の圧縮画像４０６に圧縮される。圧縮された圧縮画像４０６は記録用画像として、記録部３１３により、図１の記録媒体２７に記録される。
電子カメラ２００が撮影モードに移行されてから、記録用画像が記録媒体２７に記録されるまでの一連の処理を撮影処理とする。
【００４０】
（第１ライブビュー表示モード）
電子カメラ２００が第１ライブビュー表示モードのとき、電子カメラ２００の読み出し方式は、間引き読み出し方式に設定される。撮像素子１０の信号電荷は、内部発振装置１０ａが出力した駆動信号に基づいて、所定のフレームレートで読み出される。それらの信号電荷はアナログ信号処理回路１１およびＡ／Ｄ変換回路１２を介してデジタル信号に変換されて、ＡＳＩＣ１３に出力される。Ａ／Ｄ変換回路１２から出力されたデジタル信号は、第１ＡＳＩＣ１３１の第１入力部１００に取り込まれる。
【００４１】
第１ライブビュー表示モードでは、第１入力部１００は、Ａ／Ｄ変換回路１２から取り込んだデジタル信号を第２リサイズ部１０２に出力する。第２リサイズ部１０２は、そのデジタル信号に対して、画像処理用のリサイズ処理を行う。第２リサイズ部１０２によりリサイズ処理が施されたデジタル信号は、先述した第１リサイズ部１０１によりリサイズ処理が施されたデジタル信号よりも、画像データが小さいデジタル信号である。第２リサイズ部１０２によりリサイズ処理が施されたデジタル信号は、第１プリ処理部１０３により輪郭補償、ガンマ補正などの画像前処理が行われて、第２出力部１０５に出力される。第２出力部１０５は、画像前処理後の信号を、第２ＡＳＩＣ１３２の第３入力部３０２へ出力する。
【００４２】
第２ＡＳＩＣ１３２の第３入力部３０２は、第２出力部１０５の出力信号を取得して、第２画像処理部３０５に出力する。第２画像処理部３０５は、第１画像処理部３０７が行う画像処理のうち少なくとも明暗差調整を除く画像処理を第２出力部１０５により取得された信号に対して実行することにより第２取り込み画像データ４０３を生成して、その第２取り込み画像データ４０３をＲＡＭ１９に格納する。第２画像処理部３０５は、明暗差調整を実行しないため、第１画像処理部３０７より電力消費量が小さい。
【００４３】
リサイズ処理部３０６は、第２取り込み画像データ４０３に対して、再度リサイズ処理を行い、表示用画像４０４を生成し、ＲＡＭ１９に格納する。表示制御部３０９は、この表示用画像４０４を表示モニタ２１に出力する。このようにすることで、内部発振装置１０ａが出力した駆動信号のフレームレートで、表示用画像４０４が表示モニタ２１においてライブビュー画像として表示される。
【００４４】
（第２ライブビュー表示モード）
第２ライブビュー表示モードでは、撮影モードにおいて生成される現像画像４０５に付加されている画像効果と同一の画像効果が付加されたライブビュー画像を表示モニタ２１に表示させる。例えば、撮影モード時に用いられる絞り値やシャッタスピードによる画像効果、撮影モード時に第２ＡＳＩＣ１３２の第１画像処理部３０７が行う露出補正、明暗差調整、セレクトカラー、ミニチュア効果、ソフトフィルタによる画像効果をライブビュー画像に付加する。これにより、ユーザは、撮影により得られる画像に付加される画像効果を撮影前に確認することができるようになる。
【００４５】
第２ライブビュー表示モードでは、どの画像効果をライブビュー画像に付加するかによって、撮像素子１０の読み出し方式やＡＳＩＣ１３内での処理手順が異なる。例えば、第２ライブビュー表示モードにおいて、電子カメラ２００は、撮影モード時に用いられるシャッタスピードによる画像効果をライブビュー画像に付加する場合、撮像素子１０の読み出し方式を全画素読み出し方式に設定する。すなわち、ドライバ１６が出力した駆動信号（図２（ｂ））に基づいて、撮像素子１０の全画素から信号電荷の読み出しを行う。
【００４６】
一方、シャッタスピードによる画像効果以外の画像効果をライブビュー画像に付加する場合、撮像素子１０の読み出し方式を間引き読み出し方式に設定する。すなわち、内部発振装置１０ａが出力した駆動信号（図２（ａ））に基づいて、撮像素子１０から信号電荷の読み出しを行う。シャッタスピードによる画像効果をライブビュー画像に付加する場合、先述したとおり、内部発振装置１０ａが出力した駆動信号に基づいて、撮像素子１０からの信号電荷の読み出し制御を行うと、シャッタスピードが駆動信号のフレームレートに制限される虞がある。そのため、ドライバ１６から出力される駆動信号の立ち上がりと立ち下がりのタイミングを制御することにより、撮影モード時に用いられるシャッタスピードに対応することができる。
【００４７】
読み出された信号電荷はアナログ信号処理回路１１およびＡ／Ｄ変換回路１２を介してデジタル信号に変換されて、ＡＳＩＣ１３に出力される。Ａ／Ｄ変換回路１２から出力されたデジタル信号は、第１ＡＳＩＣ１３１の第１入力部１００に取り込まれる。なお、明暗差調整による画像効果をライブビュー画像に付加する場合、Ａ／Ｄ変換回路１２から出力されるデジタル信号は、アンダー気味に露出制御される。
【００４８】
第１ＡＳＩＣ１３１の第１入力部１００がＡ／Ｄ変換回路１２から取り込んだデジタル信号を出力する先は、ライブビュー画像に付加する画像効果に基づいて切り替えられる。例えば、明暗差調整による画像効果をライブビュー画像に付加する場合、第１入力部１００は、第１リサイズ部１０１に向けてデジタル信号を出力する。一方、明暗差調整による画像効果以外の画像効果をライブビュー画像に付加する場合、第１入力部１００は、第２リサイズ部１０２に向けてデジタル信号を出力する。明暗差調整による画像効果をライブビュー画像に付加する場合に、第１入力部１００が撮影モードのときと同様に第１リサイズ部１０１に向けてデジタル信号を出力するのは、明暗差調整を実行可能な第１画像処理部３０７を利用するためである。一方、明暗差調整による画像効果以外の画像効果をライブビュー画像に付加する場合に、第１入力部１００が第１ライブビュー表示モードのときと同様に第２リサイズ部１０２に向けてデジタル信号を出力するのは、第１画像処理部３０７より電力消費量が小さい第２画像処理部３０５を利用するためである。なお、明暗差調整による画像効果をライブビュー画像に付加する場合のために第２画像処理部３０５に明暗差調整用の回路を設けた場合、評価値の算出などの工程が増加することにより、明暗差調整による画像効果以外の画像効果をライブビュー画像に付加するときの電力消費量や処理負荷が増加してしまう。
【００４９】
明暗差調整による画像効果をライブビュー画像に付加する場合、第１入力部１００は、Ａ／Ｄ変換回路１２から取り込んだデジタル信号を第１リサイズ部１０１に出力する。第１リサイズ部１０１は、第１入力部１００が出力したデジタル信号に対して記録用画像よりも画像データの小さい表示画像用のサイズとなるようにリサイズ処理を行う。第１リサイズ部１０１は、リサイズ処理後のデジタル信号を第１出力部１０４へ出力する。第１出力部１０４は、リサイズ処理後のデジタル信号を第２ＡＳＩＣ１３２の第２入力部３０１へ出力する。
【００５０】
第２ＡＳＩＣ１３２の第２入力部３０１は、第１出力部１０４の出力信号を取得して、第２プリ処理部３０３と評価値処理部３０４に出力する。第２プリ処理部３０３は、第２入力部３０１が取得した信号に対して輪郭補償、ガンマ補正などの画像前処理を行い、その処理結果を第１取り込み画像データ４０１としてＲＡＭ１９に格納する。
【００５１】
評価値処理部３０４は、明暗差調整に用いる評価値４０２を算出して、その評価値４０２をＲＡＭ１９に格納する。ＤＳＰ部３０８は、ＲＡＭ１９に格納された評価値４０２に基づいて、第１画像処理部３０７における明暗差調整に関わるパラメータを設定する。第１画像処理部３０７は、そのパラメータを用いて第１取り込み画像４０１に対して明暗差調整を行い、現像画像４０５としてＲＡＭ１９に格納する。
【００５２】
明暗差調整による画像効果をライブビュー画像に付加する場合、リサイズ処理部３０６は、現像画像４０５に対してリサイズ処理を行い、表示用画像４０４を生成する。表示制御部３０９は、この表示用画像４０４をライブビュー画像として表示モニタ２１に出力する。
【００５３】
明暗差調整による画像効果以外の画像効果をライブビュー画像に付加する場合、第１入力部１００は、Ａ／Ｄ変換回路１２から取り込んだデジタル信号を第２リサイズ部１０２に出力する。その後、第１ライブビュー表示モードと同一の方法で表示用画像４０４を生成する。
【００５４】
図４は、ＣＰＵ１８の機能ブロック図の一例である。図４に例示されるように、ＣＰＵ１８は、ＲＯＭ２０に記憶されたプログラムを実行することにより、手動設定部１８１と、第１出力制御部１８２と、第２出力制御部１８３と、判定部１８４として機能する。これらの機能は、電子カメラ２００が第２ライブビュー表示モードに設定されているときに用いられる。
【００５５】
手動設定部１８１は、第２ライブビュー表示モードにおいて、ライブビュー画像（表示用画像４０４）に付加する画像効果について、付加する画像効果に関するパラメータ（設定値）をユーザに手動設定させる。手動設定部１８１は、図５（ａ）に例示するように、表示用画像４０４ａにスライドバー４１１を重畳表示させる。ユーザが設定値変更スイッチ３０を操作すると、その操作に応じてスライドバー４１１のメモリの表示位置が変化すると共に、付加する画像効果に関するパラメータがその操作に応じて変更される。付加する画像効果に関する設定値とは、たとえば、シャッタスピード、絞り値、露出補正の強度、明暗差調整の強度などである。
【００５６】
第１出力制御部１８２は、第２ライブビュー表示モードにおいて、手動設定部１８１により設定された画像効果に関する設定値をＡＳＩＣ１３に出力して、その設定値に基づく画像効果が付加された表示用画像４０４をＡＳＩＣ１３の表示制御部３０９から出力させる。
【００５７】
たとえば、図５（ａ）に示すスライドバー４１１がシャッタスピードの手動調整に用いるものである場合に、ユーザが図５（ｂ）に示すようにシャッタスピードを長い値に設定したとき、第１出力制御部１８２は、長秒時のシャッタスピードによる画像効果が付加された表示用画像４０４ｂを表示制御部３０９から出力させる。
【００５８】
第２出力制御部１８３は、第２ライブビュー表示モードにおいて、手動設定部１８１により設定された設定値の代わりに予め定められた固定値を所定時間の間ＡＳＩＣ１３に出力して、その固定値に基づく画像効果が付加された表示用画像４０４を所定時間の間、ＡＳＩＣ１３の表示制御部３０９から出力させる。
【００５９】
判定部１８４は、第２出力制御部１８３を動作させるか否かを判定する。判定部１８４は、〔１〕切替スイッチ２９が操作され、〔２〕切替スイッチ２９が操作されてから所定時間（たとえば、５秒）が経過しておらず、〔３〕全押し操作が行われておらず、〔４〕手動設定部１８１により設定されたパラメータが所定の切替条件を満足しているとき、第２出力制御部１８３を動作させる旨の判定を行う。切替条件とは、各画像効果がライブビュー画像に顕著に現れるとみなされる設定値の範囲であって、予め定められている。
【００６０】
図６は、シャッタスピードによる画像効果、絞り値による画像効果、露出補正による画像効果、および明暗差調整による画像効果のそれぞれについて、切替条件と、手動設定部１８１により設定された設定値の代わりにＡＳＩＣ１３に出力される所定値とを示す。
【００６１】
（１）  シャッタスピードによる画像効果に対する切替条件は、シャッタスピードＡが所定シャッタスピードＡ１以上であることである。この切替条件が満たされる場合、表示用画像４０４において、図５（ｂ）に例示されるような長秒時による画像効果が顕著に現れている。シャッタスピードによる画像効果に対する固定値は、所定シャッタスピードＡ２であって、たとえば電子カメラ２００において設定可能なシャッタスピードの中で最短（最小）の値である。なお、所定シャッタスピードＡ１は、この所定シャッタスピードＡ２よりも長い（大きい）値である。
【００６２】
たとえば、ユーザが第２ライブビュー表示モード中に所定シャッタスピードＡ１以上のシャッタスピードＡを手動設定している場合、長秒時のシャッタスピードによる画像効果が付加されたライブビュー画像（たとえば、図５（ｂ）の表示用画像４０４ｂ）が表示モニタ２１に表示される。ユーザが切替スイッチ２９を操作した場合、判定部１８４により第２出力制御部１８３を動作させる旨の判定が行われて、第２出力制御部１８３がシャッタスピードＡを所定シャッタスピードＡ２に設定して、長秒時のシャッタスピードによる画像効果のないライブビュー画像、すなわち第１ライブビュー表示モードで表示されるライブビュー画像と同等の画像が表示モニタ２１に表示される。
ユーザは、切替スイッチ２９の操作という簡明な操作により、シャッタスピードによる画像効果を付加する前のライブビュー画像で構図やフォーカスを確認することができる。また、ユーザは、切替スイッチ２９の操作前後に表示されるライブビュー画像を比較して、長秒時のシャッタスピードによる画像効果を確認することができる。
【００６３】
他方で、第２ライブビュー表示モード中にユーザがシャッタスピードＡを所定シャッタスピードＡ１未満に手動設定していた場合、すなわち長秒時のシャッタスピードによる画像効果を付加していない場合、ユーザが切替スイッチ２９を操作しても、判定部１８４は、第２出力制御部１８３を動作させない。
【００６４】
（２）  絞り値による画像効果に対する切替条件は、絞り値Ｂが所定絞り値Ｂ１以下であることである。この切替条件が満たされる場合、表示用画像４０４の背景はぼけており、絞り値による画像効果が顕著に現れている。固定値は、所定絞り値Ｂ２であって、たとえば小絞りに相当する絞り値である。絞り値Ｂが所定絞り値Ｂ２に設定されることにより、第１ライブビュー表示モードで表示されるライブビュー画像と同程度に表示用画像４０４の背景がくっきりする。ユーザは、切替スイッチ２９の操作という簡明な操作により、絞り値による画像効果を付加する前のライブビュー画像で構図やフォーカスを確認することができる。
【００６５】
（３）  露出補正による画像効果に対する切替条件は、露出補正の強度Ｃが所定強度Ｃ１以下であることである。この切替条件が満たされる場合、表示用画像４０４が暗くなるように露出補正がなされている。固定値は、所定強度Ｃ２であって、たとえば露出補正の強度として設定可能な最大値である。露出補正の強度Ｃが所定強度Ｃ２に設定されることにより、表示用画像４０４が明るくなる。ユーザは、切替スイッチ２９の操作という簡明な操作により、露出補正による画像効果を付加する前のライブビュー画像で構図やフォーカスを確認することができる。
【００６６】
（４）  明暗差補正による画像効果に対する切替条件は、明暗差補正の強度が「無」以外であることである。この切替条件が満たされる場合、表示用画像４０４は明暗差補正が適用されている。固定値は、明暗差補正の強度を「無」に設定すること、すなわち明暗差補正を行わないことである。明暗差補正の強度が「無」に設定されることにより、表示用画像４０４に黒つぶれや白とびが現れやすくなる。ユーザは、切替スイッチ２９の操作という簡明な操作により、明暗差補正による画像効果を付加する前のライブビュー画像で構図やフォーカスを確認することができる。
【００６７】
（５）  セレクトカラーによる画像効果に対する切替条件は、モノトーンに変換しない色、すなわち残す色が指定されていることである。この切替条件が満たされる場合、表示用画像４０４にはユーザが指定した色以外がモノトーンに変換されている。固定値は、指定色無し、すなわち色の指定を解除する。色の指定が解除されることにより、表示用画像４０４がフルカラーに戻る。ユーザは、切替スイッチ２９の操作という簡明な操作により、セレクトカラーによる画像効果を付加する前のライブビュー画像で構図やフォーカスを確認することができる。
【００６８】
（６）  ミニチュア効果による画像効果に対する切替条件は、ミニチュア効果によるぼかしの強度が「無」以外であることである。この切替条件が満たされる場合、表示用画像４０４の上下部分がぼかされている。固定値は、ミニチュア効果の強度を「無」に設定すること、すなわちミニチュア効果の適用を行わないことである。ミニチュア効果の強度が「無」に設定されることにより、表示用画像４０４の上下部分のぼかしが無くなる。ユーザは、切替スイッチ２９の操作という簡明な操作により、ミニチュア効果による画像効果を付加する前のライブビュー画像で構図やフォーカスを確認することができる。
【００６９】
（７）ソフトフィルタによる画像効果に対する切替条件は、ソフトフィルタによるぼかしの強度が「無」以外であることである。この切替条件が満たされる場合、表示用画像４０４は全体がぼかされている。固定値は、ソフトフィルタの強度を「無」に設定すること、すなわちソフトフィルタの適用を行わないことである。ソフトフィルタの強度が「無」に設定されることにより、表示用画像４０４からぼかしが無くなる。ユーザは、切替スイッチ２９の操作という簡明な操作により、ソフトフィルタによる画像効果を付加する前のライブビュー画像で構図やフォーカスを確認することができる。
【００７０】
図７は、メインスイッチ２２がオン操作されて、電子カメラ２００の各部に電源供給が行われたときにＣＰＵ１８が開始する処理の流れを示すフローチャートである。ステップＳ１００では、ＣＰＵ１８は、電子カメラ２００の動作モードがライブビュー表示モードであるか否かを判定する。電子カメラ２００の動作モードが第１ライブビュー表示モードまたは第２ライブビュー表示モードであるとき、ステップＳ１００は肯定判定される。ＣＰＵ１８は、ステップＳ１００が肯定判定された場合は処理をステップＳ１０１に進め、ステップＳ１００が否定判定された場合は処理をステップＳ１１２に進める。
【００７１】
ステップＳ１０１では、ＣＰＵ１８は、電子カメラ２００の動作モードが第２ライブビュー表示モードであるか否かを判定する。ＣＰＵ１８は、ステップＳ１０１が肯定判定された場合、すなわち第２ライブビュー表示モードである場合は処理をステップＳ１０２に進め、ステップＳ１０１が否定判定された場合、すなわち電子カメラ２００の動作モードが第１ライブビュー表示モードである場合は処理をステップＳ１１０に進める。
【００７２】
ステップＳ１０２では、ＣＰＵ１８は、表示モニタ２１に第２ライブビュー表示モード用のメニュー画面を表示する。このメニュー画面には、第２ライブビュー表示モードにおいてライブビュー画像に付加可能な画像効果を示す項目が列記される。たとえば、「動きを表現する」、「背景をぼかす」、「明るさを変える」、「明暗差を変える」、「セレクトカラー」、「ミニチュア効果」、「ソフトフィルタ」がメニュー画面に列記される。これらは、シャッタスピードによる画像効果、絞り値による画像効果、露出補正による画像効果、明暗差調整による画像効果、セレクトカラーによる画像効果、ミニチュア効果による画像効果、ソフトフィルタによる画像効果をそれぞれ示している。ユーザは、選択スイッチ２８を用いてこのメニュー画面の中から所望の画像効果を選択する。ステップＳ１０３では、ＣＰＵ１８は、後述する第２ライブビュー表示モードの動作を実行する。
【００７３】
ステップＳ１１０では、ＣＰＵ１８は、ＡＳＩＣ１３を制御して、第１ライブビュー表示モード用の表示用画像４０４を生成させる。ステップＳ１１１では、ステップＳ１１０でＡＳＩＣ１３により生成された表示画像４０４が表示制御部３０９から表示モニタ２１へ出力され表示される。
【００７４】
ステップＳ１１２では、ＣＰＵ１８は、全押しスイッチ２４から全押し信号が出力されたか否かを判定する。ＣＰＵ１８は、ステップＳ１１２が肯定判定された場合、すなわち全押し信号が出力された場合は処理をステップＳ１１３に進め、ステップＳ１１２が否定判定された場合、すなわち全押し信号が出力されていない場合は処理をステップＳ１００に戻す。ステップＳ１１３では、ＣＰＵ１８は、撮影処理を行う。
【００７５】
ステップＳ１１４では、ＣＰＵ１８は、図７に示す処理の実行を終了するか否かを判定する。たとえば、ＣＰＵ１８は、メインスイッチ２０がオフ操作されたか否かを判定する。ＣＰＵ１８は、ステップＳ１１４が肯定判定された場合は図７の処理を終了し、ステップＳ１１４が否定判定された場合は処理をステップＳ１００に戻す。
【００７６】
図８は、図７のステップＳ１０３の処理に関するフローチャートである。ステップＳ２００では、ＣＰＵ１８は、ＡＳＩＣ１３を制御して、第２ライブビュー表示モード用の表示用画像４０４を生成させる。ステップＳ２０１では、ＣＰＵ１８は、表示制御部３０９を制御して、ステップＳ１０２で選択された画像効果に関するパラメータを手動設定するためのスライドバー４１１をステップＳ２００で生成された表示画像４０４に重畳させ、表示モニタ２１へ出力させる。
【００７７】
ステップＳ２０２では、ＣＰＵ１８は、画像効果に関する設定値を変更するか否かを判定する。ＣＰＵ１８は、たとえば設定値変更スイッチ３０が操作されたときステップＳ２０２を肯定判定して処理をステップＳ２０３に進め、たとえば設定値変更スイッチ３０が操作されていないときステップＳ２０２を否定判定して処理をステップＳ２０５に進める。
【００７８】
ステップＳ２０３では、ＣＰＵ１８は、手動設定部１８１として機能し、画像効果に関するパラメータを変更する。たとえば、ＣＰＵ１８は、設定値変更スイッチ３０の操作に応じてパラメータを変更する。変更されるパラメータは、たとえば以下のとおり。
「動きを表現する」：シャッタスピード
「背景をぼかす」：絞り値
「明るさを変える」：露出補正の強度
「明暗差を変える」：明暗差調整の強度
「セレクトカラー」：強調する指定色
「ミニチュア効果」：ミニチュア効果によるぼかしの強度
「ソフトフィルタ」：ソフトフィルタによるぼかしの強度
【００７９】
ステップＳ２０４では、ＣＰＵ１８は、第１出力制御部１８２としてＡＳＩＣ１３を制御して、ステップＳ２０３で設定されたパラメータに基づいて、第２ライブビュー表示モード用の表示用画像４０４を生成させる。ステップＳ２０５では、ＣＰＵ１８は、表示制御部３０９を制御して、スライドバー４１１をステップＳ２０４で生成された表示画像４０４に重畳させ、表示モニタ２１へ出力させる。
【００８０】
ステップＳ２０６では、ＣＰＵ１８は、切替スイッチ２９が操作されたか否かを判定する。ＣＰＵ１８は、ステップＳ２０６が肯定判定された場合、すなわち切替スイッチ２９が操作された場合は処理をステップＳ２０７に進め、ステップＳ２０６が否定判定された場合、すなわち切替スイッチ２９が操作されていない場合は処理をステップＳ２１２に進める。
【００８１】
ステップＳ２０７では、ＣＰＵ１８は、スライドバー４１１を用いて変更可能なパラメータが所定条件を満たすか否かを判定する。ＣＰＵ１８は、ステップＳ２０７が肯定判定された場合、すなわちスライドバー４１１を用いて変更可能なパラメータが所定条件を満たす場合は処理をステップＳ２０８に進め、ステップＳ２０７が否定判定された場合、すなわちスライドバー４１１を用いて変更可能なパラメータが所定条件を満たさない場合は処理をステップＳ２１２に進める。
【００８２】
ステップＳ２０８では、ＣＰＵ１８は、切替スイッチ２９が操作されてから所定時間が経過したか否かを判定する。ＣＰＵ１８は、ステップＳ２０８が肯定判定された場合、すなわち切替スイッチ２９が操作されてから所定時間が経過した場合は処理をステップＳ２１４に進め、ステップＳ２０８が否定判定された場合、すなわち切替スイッチ２９が操作されてから所定時間が経過していない場合は処理をステップＳ２０９に進める。
【００８３】
ステップＳ２０９では、ＣＰＵ１８は、ユーザがスライドバー４１１を用いて変更可能なパラメータを図６に示した所定値に変更する。パラメータをこの所定値に変更すると、そのパラメータによる画像効果が表れなくなる。
【００８４】
ステップＳ２１０では、ＣＰＵ１８は、第２出力制御部１８３としてＡＳＩＣ１３を制御して、ステップＳ２０９で所定値に設定されたパラメータに基づいて、第２ライブビュー表示モード用の表示用画像４０４を生成させる。ステップＳ２１１では、ＣＰＵ１８は、表示制御部３０９を制御して、ステップＳ２１０で生成された表示画像４０４を表示モニタ２１へ出力させる。なお、このとき、その表示画像４０４にスライドバー４１１を重畳させることにしてもよい。
【００８５】
ステップＳ２１２では、ＣＰＵ１８は、全押しスイッチ２４から全押し信号が出力されたか否かを判定する。ＣＰＵ１８は、ステップＳ２１２が肯定判定された場合、すなわち全押し信号が出力された場合は処理をステップＳ２１３に進め、ステップＳ２１２が否定判定された場合、すなわち全押し信号が出力されていない場合は処理をステップＳ２００に戻す。ＣＰＵ１８は、全押し信号が出力されるまで、ステップＳ２００からステップＳ２１１までの処理を繰り返す。
【００８６】
ステップＳ２１３では、ＣＰＵ１８は、ステップＳ２１２が肯定判定される直前にステップＳ２０７にて所定範囲内か否かを判定したパラメータの値を用いて撮影処理を行い、図７のステップＳ１１４に進む。
【００８７】
ステップＳ２１４では、ＣＰＵ１８は、ステップＳ２０９で所定値に変更されたパラメータを変更前のパラメータ、すなわちスライドバー４１１を用いて設定されたパラメータの値に戻す。そして、ＣＰＵ１８は、ステップＳ２００に処理を戻す。
【００８８】
図９は、図７のステップＳ１１０、図８のステップＳ２００、ステップＳ２０４、ステップＳ２１０にて実行される表示用画像の生成処理に関するフローチャートである。
【００８９】
ステップＳ６０１では、ＣＰＵ１８は、電子カメラ２００の動作モードが第２ライブビュー表示モードであるか否かを判定する。ＣＰＵ１８は、ステップＳ６０１が肯定判定された場合、すなわち第２ライブビュー表示モードである場合は処理をステップＳ６０２に進め、ステップＳ６０１が否定判定された場合、すなわち電子カメラ２００の動作モードが第１ライブビュー表示モードである場合は処理をステップＳ６１０に進める。
【００９０】
ステップＳ６０２では、ＣＰＵ１８は、第２ライブビュー表示モードにおいてライブビュー画像に付加する画像効果がシャッタスピードによる画像効果か否かを判定する。ＣＰＵ１８は、ステップＳ６０２が肯定判定された場合は処理をステップＳ６０３に進め、ステップＳ６０２が否定判定された場合は処理をステップＳ６１０に進める。
【００９１】
ステップＳ６０３では、ＣＰＵ１８は、全画素読み出し方式を用いた撮像素子１０の信号電荷の読み出しを開始する。撮像素子１０から読み出された信号電荷は、アナログ信号処理回路１１およびＡ／Ｄ変換回路１２を介してデジタル信号に変換されて、ＡＳＩＣ１３に出力される。ステップＳ６０４では、ＣＰＵ１８は、ＡＳＩＣ１３に対して表示用画像４０４を生成させる。
【００９２】
ステップＳ６１０では、ＣＰＵ１８は、間引き読み出し方式を用いた撮像素子１０の信号電荷の読み出しを開始する。撮像素子１０から読み出された信号電荷は、アナログ信号処理回路１１およびＡ／Ｄ変換回路１２を介してデジタル信号に変換されて、ＡＳＩＣ１３に出力される。
【００９３】
ステップＳ６１１では、ＣＰＵ１８は、第２ライブビュー表示モードにおいてライブビュー画像に付加する画像効果が明暗差調整による画像効果か否かを判定する。ＣＰＵ１８は、ステップＳ６１１が肯定判定された場合は処理をステップＳ６１２に進め、ステップＳ６１１が否定判定された場合は処理をステップＳ６０４に進める。なお、電子カメラの動作モードが第１ライブビュー表示モードの場合、ＣＰＵ１８はステップＳ６１１を否定判定し、処理をステップＳ６０４に進める。
【００９４】
ステップＳ６１２では、ＣＰＵ１８は、ＡＳＩＣ１３に対して、明暗差調整用の表示用画像４０４を生成させる。すなわち、ＣＰＵ１８は、ＡＳＩＣ１３に対して、現像画像４０５を生成させ、その現像画像４０５を用いて表示用画像４０４を生成させる。
【００９５】
以上で説明した実施の形態によれば、以下の作用効果が得られる。
電子カメラ２００は、ＡＳＩＣ１３と、表示モニタ２１と、ＣＰＵ１８とを備える。
ＡＳＩＣ１３は、シャッタスピード、絞り値、露出補正の強度、明暗差調整の強度、セレクトカラーにおける指定色、ミニチュア効果によるぼかしの強度、ソフトフィルタによるぼかしの強度などのパラメータの各設定値に基づいて表示用画像４０４を出力する。
表示モニタ２１は、ＡＳＩＣ１３が出力した表示用画像４０４を表示する。
ＣＰＵ１８は、シャッタスピード、絞り値、露出補正の強度、明暗差調整の強度、セレクトカラーにおける指定色、ミニチュア効果によるぼかしの強度、ソフトフィルタによるぼかしの強度のうちの一つをユーザに手動設定させる手動設定部１８１と、手動設定部１８１により手動設定されたパラメータを用いて、ＡＳＩＣ１３に表示用画像４０４を出力させる第１出力制御部１８２と、手動設定部１８１により手動設定されたパラメータの代わりに図６に示した所定値を用いて、ＡＳＩＣ１３に表示用画像４０４を出力させる第２出力制御部１８３と、第２出力制御部１８３を動作させるか否かを判定する判定部１８４として機能する。
ＡＳＩＣ１３は、その判定部１８４の判定結果に関わらず、手動設定部１８１により手動設定されたパラメータの設定値に基づいて被写体を撮像して圧縮画像４０６を生成する。
判定部１８４は、〔１〕第１出力制御部１８２がＡＳＩＣ１３に表示用画像４０４を出力させている期間内に切替スイッチ２９が操作され、〔２〕切替スイッチ２９が操作されてから所定時間が経過しておらず、〔３〕全押し操作が行われておらず、〔４〕手動設定部１８１により設定されたパラメータが所定の切替条件を満足しているとき、第２出力制御部１８３を動作させる判定を行う。
電子カメラ２００は、このような構成を備えることにより、切替スイッチ２９の操作という簡明な操作により補正前のライブビュー画像で構図やフォーカスを確認することができると共に、特別な操作を行うことなく確認後に簡便に補正後のライブビュー画像表示に復帰することができる。
【００９６】
以上で説明した実施形態は、以下のように変形して実施できる。
〔変形例１〕
シャッタスピードによる画像効果とは異なる画像効果をライブビュー画像に付加する場合においても、ドライバ１６から出力される駆動信号により信号電荷を読み出すようにしてもよい。
【００９７】
〔変形例２〕
上記の実施の形態では、ライブビュー画像は、電子カメラ２００に内蔵された表示モニタ２１に表示されるものとしたが、外部の表示装置に表示することにしてもよい。ライブビュー画像を外部の表示装置に表示する場合、ＡＳＩＣ１３は表示制御部３０９とは異なる第２表示部を更に備え、第２表示部から外部の表示装置に表示用画像を出力する。第２表示部は、外部の表示装置に適したフレームレートで表示用画像を出力する。例えば、外部の表示装置の画面解像度が表示モニタ２１に比べて高い場合はフレームレートを落とす。
【００９８】
〔変形例３〕
図８のステップＳ２１１の処理において、ステップＳ２１０の処理で生成された表示用画像４０４を表示するだけでなく、ステップＳ２０９での変更を行う前のパラメータを用いて生成された表示用画像４０４を表示モニタ２１、第２表示部、またはそれらの両方に並べて表示させてもよい。二つの表示を見比べることにより、電子カメラ２００の扱いに不慣れなユーザが画像効果に関して理解を深めることができる。
【００９９】
〔変形例４〕
設定値変更スイッチ３０は、表示モニタ２１に設けられたタッチパネルでもよい。その場合、手動設定部１８１は、そのタッチパネルを用いてユーザにスライドバー４１１のメモリを操作させる。
【０１００】
以上で説明した実施の形態や変形例はあくまで例示に過ぎず、発明の特徴が損なわれない限り本発明はこれらの内容に限定されない。また、以上で説明した実施の形態や変形例は発明の特徴が損なわれない限り組み合わせて実行してもよい。
【符号の説明】
【０１０１】
１０：撮像素子、２１：表示モニタ、２７：記録媒体、２８：選択スイッチ、２９：切替スイッチ、１８１：手動設定部、１８２：第１出力制御部、１８３：第２出力制御部、１８４：判定部、２００：電子カメラ
【図１】
2018050345.tif 000003
【図２】
2018050345.tif 000004
【図３】
2018050345.tif 000005
【図４】
2018050345.tif 000006
【図５】
2018050345.tif 000007
【図６】
2018050345.tif 000008
【図７】
2018050345.tif 000009
【図８】
2018050345.tif 000010
【図９】
2018050345.tif 000011
【手続補正書】
【提出日】平成30年1月12日(2018.1.12)
【手続補正１】
【補正対象書類名】特許請求の範囲
【補正対象項目名】全文
【補正方法】変更
【補正の内容】
【特許請求の範囲】
【請求項１】
被写体を撮像した撮像信号が入力される入力部と、
前記撮像信号の画像処理に関する条件を設定可能な設定部と、
前記撮像信号を前記設定部により設定された後の設定後画像処理の条件に基づいて第１表示信号に変換する第１変換部と、
前記撮像信号を前記設定部により設定される前の設定前画像処理の条件に基づいて第２表示信号に変換する第２変換部と、
前記第１表示信号または前記第２表示信号を出力する出力部と、
前記出力部の出力を、前記第１表示信号と前記第２表示信号との間で切替える切替部と、
前記切替部による切替を指示する指示部と、
を備え、
前記切替部は、前記設定部による設定が所定の条件を満たす場合に、前記出力部の出力を前記第１表示信号から前記第２表示信号に切り替え可能であり、
前記切替部は、前記指示部による指示があると、前記設定部により前記設定後画像処理から前記設定前画像処理に設定が変更されていなくても、前記出力部の出力を前記第１表示信号から前記第２表示信号に切替る撮像装置。
【請求項２】
請求項１に記載の撮像装置において、
前記指示部は、前記設定部とは異なる操作部材により操作される撮像装置。
【請求項３】
請求項１または２に記載の撮像装置において、
前記所定の条件とは、前記設定後画像処理の条件が閾値を超えるか否かである撮像装置。
【請求項４】
請求項１から３のいずれか一項に記載の撮像装置において、
前記切替部は、前記設定部による設定が前記所定の条件を満たさない場合、前記第１表示信号から前記第２表示信号への切替えを行わない撮像装置。
【請求項５】
請求項１から４のいずれか一項に記載の撮像装置において、
前記切替部は、撮像動作を開始する操作が行われている場合、前記指示部による指示があっても、前記第１表示信号から前記第２表示信号への切替えを行わない撮像装置。
【請求項６】
請求項１から５のいずれか一項に記載の撮像装置において、
前記設定前画像処理と前記設定後画像処理とでは、画像処理の種類が異なる撮像装置。
【請求項７】
請求項１から５のいずれか一項に記載の撮像装置において、
前記設定前画像処理は、前記設定後画像処理よりも画像処理の効果が小さい撮像装置。
【請求項８】
請求項１から７のいずれか一項に記載の撮像装置において、
前記指示部はレリーズボタンである撮像装置。
【請求項９】
請求項１から８のいずれか一項に記載の撮像装置において、
前記出力部からの出力に基づいて画像を表示する表示部を備える撮像装置。
【請求項１０】
請求項１から９のいずれか一項に記載の撮像装置において、
前記画像処理には、第１の画像処理と、前記第１の画像処理より処理負荷の小さい第２の画像処理とがあり、
前記第１変換部は、前記第１の画像処理に関する条件に基づいて前記撮像信号を第１表示信号に変換可能であり、かつ、撮像条件に基づいて前記撮像信号を記録用信号に変換可能であり、
前記第２変換部は、前記第２の画像処理に関する条件に基づいて前記撮像信号を第２表示信号に変換可能である撮像装置。
【手続補正２】
【補正対象書類名】明細書
【補正対象項目名】０００５
【補正方法】変更
【補正の内容】
【０００５】
発明の一態様による撮像装置は、被写体を撮像した撮像信号が入力される入力部と、前記撮像信号の画像処理に関する条件を設定可能な設定部と、前記撮像信号を前記設定部により設定された後の設定後画像処理の条件に基づいて第１表示信号に変換する第１変換部と、前記撮像信号を前記設定部により設定される前の設定前画像処理の条件に基づいて第２表示信号に変換する第２変換部と、前記第１表示信号または前記第２表示信号を出力する出力部と、前記出力部の出力を、前記第１表示信号と前記第２表示信号との間で切替える切替部と、前記切替部による切替を指示する指示部と、を備え、前記切替部は、前記設定部による設定が所定の条件を満たす場合に、前記出力部の出力を前記第１表示信号から前記第２表示信号に切り替え可能であり、前記切替部は、前記指示部による指示があると、前記設定部により前記設定後画像処理から前記設定前画像処理に設定が変更されていなくても、前記出力部の出力を前記第１表示信号から前記第２表示信号に切替る。